【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
中央サーバインフラストラクチャの指揮下のコンピュータタスクを行う方法であって、
各々が、複数の実体のそれぞれ異なる一の実体により制御され関連付けられている、複数の処理デバイスのネットワークを形成する段階と、
前記複数の処理デバイスの各々において、各自のアルゴリズムの初期プールを作成する段階と、
前記アルゴリズムを経時的に進化させる段階と、
中央サーバインフラストラクチャにおいて、前記進化したアルゴリズムから予め定められた条件に応じて１以上のアルゴリズムを選択する段階と、
前記選択された１以上のアルゴリズムを適用して金融アルゴリズムを表す前記コンピュータタスクを実行する段階と
を備える方法。
【請求項２】
前記複数の実体に関連する処理デバイスが利用されると前記複数の実体に対価を与える段階を更に備える請求項１に記載の方法。
【請求項３】
前記複数の処理デバイスの少なくとも１つは、中央処理装置のクラスタを含む請求項１または２に記載の方法。
【請求項４】
前記複数の実体の少なくとも１つは金銭的な対価を受ける請求項１から３の何れか１項に記載の方法。
【請求項５】
前記複数の処理デバイスの少なくとも１つは、中央処理装置およびホストメモリを含む請求項１から４の何れか１項に記載の方法。
【請求項６】
前記アルゴリズムの少なくとも１つは、１以上の資産のリスク調整した後の業績を計測する請求項１から５の何れか１項に記載の方法。
【請求項７】
前記複数の実体の少なくとも１つは商品／サービスによる対価を受ける請求項１から６の何れか１項に記載の方法。
【請求項８】
前記複数の処理デバイスの各々において、各自のアルゴリズムの初期プールを作成する段階は、前記複数の処理デバイスの各々において、各自のアルゴリズムの初期プールをランダムに作成するステップを有する請求項１から７の何れか１項に記載の方法。
【請求項９】
前記複数の実体に関連付けられた複数の処理デバイスによって、前記コンピュータタスクに割り当てられたＣＰＵ動作の指標に基づいて前記複数の実体の少なくとも１つに対する対価額を決定する段階と、
実体に対して決定された前記対価額に従って前記複数の実体の少なくとも１つに対価を与える段階と
をさらに備える請求項１から８の何れか１項に記載の方法。
【請求項１０】
コンピュータタスクを実行するネットワークコンピュータシステムであって、
経時的に進化するアルゴリズムの初期プールを各々が作成する複数の処理デバイスと、
進化した前記アルゴリズムから予め定められた条件に応じて１以上のアルゴリズムを選択する中央サーバインフラストラクチャと、
前記選択された１以上のアルゴリズムを適用して、金融アルゴリズムを表す前記コンピュータタスクを実行するモジュールと
を備えるネットワークコンピュータシステム。
【請求項１１】
前記複数の処理デバイスの各々の対価レベルを保持するモジュールをさらに備える請求項１０に記載のネットワークコンピュータシステム。
【請求項１２】
前記複数の処理デバイスの少なくとも１つは、中央処理装置のクラスタを含む請求項１０または１１に記載のネットワークコンピュータシステム。
【請求項１３】
少なくとも１つの対価は、金銭的な対価である請求項１０から１２の何れか１項に記載のネットワークコンピュータシステム。
【請求項１４】
前記複数の処理デバイスの少なくとも１つは、中央処理装置およびホストメモリを含む請求項１０から１３の何れか１項に記載のネットワークコンピュータシステム。
【請求項１５】
前記アルゴリズムの少なくとも１つは、１以上の資産のリスク調整した後の業績を計測する請求項１０から１４の何れか１項に記載のネットワークコンピュータシステム。
【請求項１６】
少なくとも１つの対価は商品／サービスである請求項１０から１５の何れか１項に記載のネットワークコンピュータシステム。
【請求項１７】
前記複数の処理デバイスの各々は、各自のアルゴリズムの初期プールをランダムに作成する請求項１０から１６の何れか１項に記載のネットワークコンピュータシステム。
【請求項１８】
前記複数の処理デバイスのそれぞれは、複数の実体のそれぞれに制御され、かつ関連付けられ、
中央サーバインフラストラクチャは、前記複数の実体に関連付けられた複数の処理デバイスによって、前記コンピュータタスクに割り当てられたＣＰＵ動作の指標に基づいて前記複数の実体の各々に対する対価額を決定し、
実体に対して決定された前記対価額に従って前記複数の実体の少なくとも１つに対価を与える、請求項１０から１７の何れか１項に記載のネットワークコンピュータシステム。
【請求項１９】
中央制御装置の指揮下のコンピュータタスクを実行する方法であって、
異なる処理デバイスが複数の実体のうち異なる１つに制御されかつ関連付けられる、複数の処理デバイスのネットワークを形成する、前記処理デバイスの各々へ、実行されるクライアント側のソフトウェアコードを提供する段階を含む段階と、
前記中央制御装置において、前記複数の処理デバイスの各々に、各自の、前記クライアント側のソフトウェアに経時的に進化させられるアルゴリズムの初期プールを作成させる段階と、
中央制御装置において、前記進化したアルゴリズムから予め定められた条件に応じて１以上のアルゴリズムを選択する段階と、
前記選択された１以上のアルゴリズムを適用して金融アルゴリズムを表す前記コンピュータタスクを実行する段階と
を備える方法。
【請求項２０】
前記複数の実体に関連付けられた複数の処理デバイスによって、前記コンピュータタスクに割り当てられたＣＰＵ動作の指標に基づいて前記複数の実体の少なくとも１つに対する対価額を決定する段階と、
実体に対して決定された前記対価額に従って前記複数の実体の少なくとも１つに対価を与える段階と
をさらに備える請求項１９に記載の方法。
【請求項２１】
中央サーバインフラストラクチャの指揮下の金融アルゴリズムに関するコンピュータタスクを実行する方法であって、
各々が、複数の実体のそれぞれ異なる一の実体により制御され関連付けられている、複数の処理デバイスのネットワークを形成する段階と、
前記複数の処理デバイスにおいて、前記コンピュータタスクの異なるサブタスクを実行して複数の解決法を生成する段階と、
前記中央サーバインフラストラクチャにおいて、前記複数の解決法を組み合わせて前記コンピュータタスクの結果を生成する段階と、
前記複数の実体に関連付けられた前記複数の処理デバイスによって、前記サブタスクに割り当てられたＣＰＵ動作の指標に基づいて前記複数の実体の各々に対する対価額を決定する段階と、
前記対価額に従って前記複数の実体に対価を与える段階と
を備え、
前記コンピュータタスクは金融アルゴリズムを表す、方法。
【請求項２２】
前記複数の処理デバイスの少なくとも１つは、中央処理装置のクラスタを含む請求項２１に記載の方法。
【請求項２３】
前記複数の実体の少なくとも１つは金銭的な対価を受ける請求項２１または２２に記載の方法。
【請求項２４】
前記複数の処理デバイスの少なくとも１つは、中央処理装置およびホストメモリを含む請求項２１から２３の何れか１項に記載の方法。
【請求項２５】
前記結果は、１以上の資産のリスク調整した後の業績の計測である請求項２１から２４の何れか１項に記載の方法。
【請求項２６】
前記複数の実体の少なくとも１つは商品／サービスによる対価を受ける請求項２１から２５の何れか１項に記載の方法。
【請求項２７】
前記決定する段階がＣＰＵ動作の最小閾値に適合され、前記閾値に達しなかった場合には対価は支払われない請求項２１から２６の何れか１項に記載の方法。
【請求項２８】
前記ＣＰＵ動作の指標は、利用されるＣＰＵサイクルの数を含む請求項２１から２７の何れか１項に記載の方法。
【請求項２９】
前記複数の処理デバイスのうち所与の１つにおいて、前記中央サーバインフラストラクチャへ送られる解決法の最小適合度レベルを前記中央サーバインフラストラクチャから学ぶ段階と、
前記最小適合度レベルを超える適合度レベルを有する前記所与の処理デバイスの解決法のみを前記中央サーバインフラストラクチャへ送る段階と
を更に備える請求項２１から２８の何れか１項に記載の方法。
【請求項３０】
コンピュータタスクを実行し、中央サーバインフラストラクチャを有するネットワークコンピュータシステムであって、
前記コンピュータタスクの複数のサブタスクに応じて生成された複数の解決法を組み合わせて前記コンピュータタスクの結果を生成するモジュールと、
前記複数のサブタスクに割り当てられたＣＰＵ動作の指標に基づいて、前記複数の解決法を生成する複数の実体の各々に対する対価額を、前記複数の実体に関連付けられた複数の処理デバイスによって決定するモジュールと
を備え、
前記コンピュータタスクは金融アルゴリズムを表す、ネットワークコンピュータシステム。
【請求項３１】
前記複数の解決法の少なくとも１つは、中央処理装置のクラスタにより生成される請求項３０に記載のネットワークコンピュータシステム。
【請求項３２】
前記対価は、金銭的な対価である請求項３０または３１に記載のネットワークコンピュータシステム。
【請求項３３】
前記結果は、１以上の資産のリスク調整した後の業績の計測である請求項３０から３２の何れか１項に記載のネットワークコンピュータシステム。
【請求項３４】
前記複数の実体の少なくとも１つへの前記対価は、商品／サービスである請求項３０から３３の何れか１項に記載のネットワークコンピュータシステム。
【請求項３５】
前記対価額の決定においては、ＣＰＵ動作の最小閾値を利用する請求項３０から３４の何れか１項に記載のネットワークコンピュータシステム。
【請求項３６】
前記ＣＰＵ動作の指標は、利用されるＣＰＵサイクルの数を含む請求項３０から３５の何れか１項に記載のネットワークコンピュータシステム。
【請求項３７】
中央制御装置の指揮下の金融アルゴリズムに関するコンピュータタスクを実行する方法であって、
異なる処理デバイスが複数の実体のうち異なる１つに制御されかつ関連付けられる、複数の処理デバイスのネットワークを形成する、実行されるクライアント側のソフトウェアコードを前記複数の処理デバイスの各々へ提供するステップを含む段階と、
前記中央制御装置において、前記ソフトウェアコードを手段として、複数の処理デバイスの各々に、前記コンピュータタスクのさまざまのサブタスクを実行させ、複数の解決法の生成をもたらす段階と、
前記中央制御装置において、前記複数の解決法を組み合わせ、前記コンピュータタスクの結果を生成する段階と、
前記複数の実体に関連付けられた前記複数の処理デバイスによって、前記サブタスクに割り当てられたＣＰＵ動作の指標に基づいて前記複数の実体の各々に対する対価額を決定する段階と、
前記対価額に従って前記複数の実体に対価を与える段階と
を備え、
前記コンピュータタスクは金融アルゴリズムを表す、方法。